(57)【要約】【課題】熱風を回転ドラム内に供給して衣類を乾燥する衣類乾燥機において、衣類どうしの摩擦や衣類と樹脂部品との摩擦等により発生した静電気を除去し、かつ衣類や回転ドラム内に残った洗濯後の洗剤残りの臭いや機器の樹脂部品の臭いを効率的に脱臭する。【解決手段】衣類を収納し乾燥する回転ドラム２内に、ヒータ１２により加熱された熱風を送風ファン１０により供給し、衣類の乾燥度を乾燥度検知手段１９により検知する。回転ドラム２を前方で軸支するドラム前板３にイオン発生装置１５を配し、回転ドラム２内に少なくともマイナスイオンを導入する。イオン発生装置１５は、回転ドラム２内の衣類の乾燥度が９０〜１００％以上になったとき、回転ドラム２内に少なくともマイナスイオンを導入するよう構成する。【選択図】　図１
2004129841.tif 000002
【特許請求の範囲】
【請求項１】
衣類を収納し乾燥する回転ドラムと、前記回転ドラム内に熱源により加熱された熱風を供給する送風ファンと、衣類の乾燥度を検知する乾燥度検知手段と、前記回転ドラムを前方で軸支するドラム前板に配し前記回転ドラム内に少なくともマイナスイオンを導入するイオン発生装置とを備え、前記イオン発生装置は、前記回転ドラム内の衣類の乾燥度が９０〜１００％以上になったとき、前記回転ドラム内に少なくともマイナスイオンを導入するよう構成した衣類乾燥機。
【請求項２】
イオン発生装置より発生した少なくともマイナスイオンを送風ファンにより機外に放出する開閉自在な窓部と、前記窓部を連通させるダクトとを設けた請求項１記載の衣類乾燥機。
【請求項３】
窓部から少なくともマイナスイオンを発生させるとき、熱源を加熱する場合と加熱しない場合を選択可能とする切換え操作部を設けた請求項１記載の衣類乾燥機。
【請求項４】
イオン発生装置より発生した少なくともマイナスイオンを導入する固定収納部を備え、前記固定収納部は機外より開閉自在に構成した請求項１記載の衣類乾燥機。
【発明の詳細な説明】
【０００１】
【発明の属する技術分野】
本発明は、熱風を回転ドラム内に供給して衣類を乾燥する衣類乾燥機に関するものである。
【０００２】
【従来の技術】
従来、衣類乾燥機は、ヒータと衣類収納庫とを循環空気経路により連絡し、この循環空気を冷却する冷却空気経路を設け、循環空気経路の一部に湿度センサを設け、この湿度センサを含む湿度検知部で循環空気の湿度を検知し、乾燥終了前のある一定値以下に湿度が低下した際に、イオン発生器によりイオンを循環空気中に噴出するよう構成していた（例えば、特許文献１）。
【０００３】
【特許文献１】
特開昭６１−２３２８９９号公報
【０００４】
【発明が解決しようとする課題】
このような従来の構成では、衣類がある乾燥度になるとイオンを噴出するもので、乾いた衣類の静電気を除去することができるが、衣類の脱臭に対する配慮がないため、衣類の洗濯後の洗剤残りの臭いや、機器を構成する樹脂部品の臭いなどが衣類に付着したり、回転ドラム内に残留し、使用者に不快感を与えるという問題を有していた。
【０００５】
本発明は上記課題を解決するもので、衣類どうしの摩擦や衣類と樹脂部品との摩擦等により発生した静電気を除去し、かつ衣類や回転ドラム内に残った洗濯後の洗剤残りの臭いや機器の樹脂部品の臭いを効率的に脱臭することを目的としている。
【０００６】
【課題を解決するための手段】
本発明は上記目的を達成するために、衣類を収納し乾燥する回転ドラム内に、熱源により加熱された熱風を送風ファンにより供給し、衣類の乾燥度を乾燥度検知手段により検知し、回転ドラムを前方で軸支するドラム前板にイオン発生装置を配し、回転ドラム内に少なくともマイナスイオンを導入するよう構成し、イオン発生装置は、回転ドラム内の衣類の乾燥度が９０〜１００％以上になったとき、回転ドラム内に少なくともマイナスイオンを導入するよう構成したものである。
【０００７】
これにより、衣類どうしの摩擦や衣類と樹脂部品との摩擦により発生した静電気を少なくともマイナスイオンにて電気的に中和し静電気を除去することができるとともに、衣類に付着したタバコ等の臭い分子を、衣類より臭い分子が遊離しやすい衣類の乾燥度が９０〜１００％以上になったときマイナスイオンにて分解し、衣類および回転ドラム内を脱臭することができる。
【０００８】
【発明の実施の形態】
本発明の請求項１に記載の発明は、衣類を収納し乾燥する回転ドラムと、前記回転ドラム内に熱源により加熱された熱風を供給する送風ファンと、衣類の乾燥度を検知する乾燥度検知手段と、前記回転ドラムを前方で軸支するドラム前板に配し前記回転ドラム内に少なくともマイナスイオンを導入するイオン発生装置とを備え、前記イオン発生装置は、前記回転ドラム内の衣類の乾燥度が９０〜１００％以上になったとき、前記回転ドラム内に少なくともマイナスイオンを導入するよう構成したものであり、衣類どうしの摩擦や衣類と樹脂部品との摩擦により発生した静電気を、プラスイオンとマイナスイオンを導入しているときは両方のイオンで、マイナスイオンのみを導入しているときはマイナスイオンにて電気的に中和し、静電気を除去することができ、また、衣類に付着したタバコ等の臭い分子を、衣類より臭い分子が遊離しやすい衣類の乾燥度が９０〜１００％以上になったときマイナスイオンにて分解し、衣類および回転ドラム内を脱臭することができる。
【０００９】
請求項２に記載の発明は、上記請求項１に記載の発明において、イオン発生装置より発生した少なくともマイナスイオンを送風ファンにより機外に放出する開閉自在な窓部と、前記窓部を連通させるダクトとを設けたものであり、衣類乾燥機外の室内空間に、窓部より少なくともマイナスイオンを放出することにより、衣類乾燥機の設置場所にマイナスイオン空間を形成することができ、室内空間を脱臭することができる。
【００１０】
請求項３に記載の発明は、上記請求項１に記載の発明において、窓部から少なくともマイナスイオンを発生させるとき、熱源を加熱する場合と加熱しない場合を選択可能とする切換え操作部を設けたものであり、冬期などの寒い時期に、熱源を加熱することにより、乾燥機の設置場所を暖房すると同時に、マイナスイオン空間を形成できて、脱臭をすることができる。
【００１１】
請求項４に記載の発明は、上記請求項１に記載の発明において、イオン発生装置より発生した少なくともマイナスイオンを導入する固定収納部を備え、前記固定収納部は機外より開閉自在に構成したものであり、ウール等の小物の静電気を除去できるとともに、ぬいぐるみ等の脱臭をすることができる。
【００１２】
【実施例】
以下、本発明の実施例について、図面を参照しながら説明する。
【００１３】
（実施例１）
図１に示すように、筐体１は、回転ドラム２を前部の開口部に設けたドラム前板３で支持し、回転ドラム２の後部はシャフト４を介してファンケース５にて回転自在に支持している。この回転ドラム２の奥壁にフィルター６およびフィルターカバー７を装着し、衣類から出るリントが機外に放出しないようにしている。モータ８は、ファンベルト９にてファンケース５内に設けた送風ファン１０に連結し、回転ドラム２内に熱風を送風して衣類を乾燥する。
【００１４】
また、回転ドラム２内の衣類を撹拌するために、モータ８と連結したドラムベルト１１を介して回転ドラム２を回転する。ヒータ（熱源）１２は、回転ドラム２内に供給する熱風を加熱する。矢印Ａは風の流れを示している。
【００１５】
ドラム前板３内に、直流のマイナス電源よりコロナ放電してマイナスイオン（−）を発生させるマイナス電極部１３とプラス電源よりプラスイオン（＋）を発生させるプラス電極部１４からなるイオン発生装置１５を配設している。また、ドラム前板３に導電材料よりなる電極１６、１７を設け、衣類１８の乾燥度を電極１６、１７間の電気抵抗により導出する乾燥度検知手段１９を設けている。
【００１６】
ここで、イオン発生装置１５は、回転ドラム２内の衣類１８の乾燥度が９０〜１００％以上になったとき、回転ドラム２内に少なくともマイナスイオンを導入するよう構成している。
【００１７】
上記構成において動作を説明する。乾燥運転中、特に衣類１８が乾いてくる終盤には、衣類１８に含まれる水分量が少なくなり、回転ドラム２内で衣類１８が撹拌されヒータ１２を介した熱風が送り込まれると、衣類１８どうしの摩擦や衣類１８と機器を構成する樹脂部品との摩擦により静電気が発生しやすい状態になる。
【００１８】
一方、衣類１８が乾いていく終盤には、衣類１８に含まれる水分が少なくなるため、電極１６、１７間の電気抵抗が急激に増大する。乾燥度検知手段１９は、この電気抵抗により衣類１８の乾燥度を導出し、衣類１８の乾燥度が静電気発生の多い乾燥度９０〜１００％以上になったとき、イオン発生装置１５を駆動し、回転ドラム２内に少なくともマイナスイオンを導入する。
【００１９】
このことにより、図２に示すように、衣類１８に発生した静電気（＋）とイオン発生装置１５より放出されたマイナスイオン（−）が引き合い中和し、結果として静電気が除去される。また、衣類１８に付着したタバコ等の臭い分子を、衣類１８より臭い分子が遊離しやすい衣類１８の乾燥度が９０〜１００％以上になったときマイナスイオンにて分解し、衣類１８や回転ドラム２内を脱臭することができる。
【００２０】
特に、衣類１８の乾燥度が９０〜１００％以上になったとき、イオン発生装置１５を駆動することにより、最も効率的に静電気の除去と脱臭ができる。
【００２１】
（実施例２）
図３に示すように、窓部２１ａは、筐体１の略前方に設け、イオン発生装置１５より発生した少なくともマイナスイオンを送風ファン１０により機外に放出するもので、機外より開閉自在な扉２０を有し、ファンケース５よりダクト２１により連通している。
【００２２】
切換え操作部２２は、イオン発生装置１５より少なくともマイナスイオンを放出するとき、熱源を加熱する場合と、加熱しない場合を選択可能とするものである。他の構成は上記実施例１と同じであり、同一符号を付して説明を省略する。
【００２３】
上記構成において動作を説明する。回転ドラム２内に衣類を入れずに、蓋２０を開いてイオン発生装置１５を駆動しながら運転すると、窓部２１ａより少なくともマイナスイオンが筐体１外に放出される。
【００２４】
これにより、衣類乾燥機を設置している場所はマイナスイオン空間となる。さらに、少なくともマイナスイオンを放出することにより、衣類乾燥機を設置している場所の脱臭ができる。
【００２５】
また、冬期などの寒い時期には、切換え操作部２２により、イオン発生装置１５より少なくともマイナスイオンを放出するとき、熱源を加熱するよう選択することにより、乾燥機の設置場所を暖房すると同時に、マイナスイオン空間を形成できて、脱臭をすることができる。
【００２６】
（実施例３）
図４に示すように、固定収納部２３は、筐体１の略前方に設け、イオン発生装置１５より発生した少なくともマイナスイオンを送風ファン１０により導入するもので、機外より開閉自在な扉２４を有し、ファンケース５よりダクト２５により連通している。他の構成は上記実施例１と同じであり、同一符号を付して説明を省略する。
【００２７】
上記構成において動作を説明する。回転ドラム２内に衣類を入れずに、ウール等の小物や、ぬいぐるみＢ等を固定収納部２３内に入れて扉２４を閉じ、イオン発生装置１５駆動しながら運転すると、固定収納部２３内に少なくともマイナスイオンが導入される。
【００２８】
これにより、固定収納部２３内に入れたウール等の小物の静電気を除去できるとともに、ぬいぐるみＢ等の脱臭をすることができる。
【００２９】
【発明の効果】
以上のように、本発明の請求項１に記載の発明によれば、回転ドラム内の衣類の乾燥度が９０〜１００％以上になったとき、回転ドラム内に少なくともマイナスイオンを導入することにより、衣類どうしの摩擦や衣類と樹脂部品との摩擦により発生した静電気を少なくともマイナスイオンにて電気的に中和し、効率的に静電気を除去することができるとともに、衣類に付着した臭い分子をマイナスイオンにて分解し衣類および回転ドラム内を脱臭することができる。
【図面の簡単な説明】
【図１】本発明の第１の実施例の衣類乾燥機の縦断面図
【図２】同衣類乾燥機の要部断面図と衣類の静電気除去を示す図
【図３】本発明の第２の実施例の衣類乾燥機の縦断面図
【図４】本発明の第３の実施例の衣類乾燥機の縦断面図
【符号の説明】
２　回転ドラム
３　ドラム前板
１０　送風ファン
１２　ヒータ（熱源）
１５　イオン発生装置
１９　乾燥度検知手段
【図１】
2004129841.tif 000003
【図２】
2004129841.tif 000004
【図３】
2004129841.tif 000005
【図４】
2004129841.tif 000006